(57)【要約】【課題】柄の立体をだす紋意匠織と地組織との変化で柄だしする紋織物に対する染色方法に関するものであり、特に、従来にない極めて斬新な色合い並びに風合いに染色し得る紋織物に対する染色方法を提供すること。【解決手段】生地表面１ａ側に、地組織部分２と、該地組織部分から突出する紋意匠織組織部分３とを有する紋織物生地１を準備する工程と、前記紋織物生地を水洗い処理４し、湯のし処理５をした後、前記紋織物生地の裏面１ｂ側から浸透性を有する色糊で前記紋織物生地の表面側地組織部分まで染色する第１の染色工程６と、前記第１の染色工程で染色された紋織物生地を蒸し水洗処理１０、のりつけ処理１１および仕上げのし処理１２してなることを特徴とする紋織物の染色方法。【選択図】図１
2007277773.tif 000002
【特許請求の範囲】
【請求項１】
生地表面側に、地組織部分と、該地組織部分から突出する紋意匠織組織部分とを有する紋織物生地を準備する工程と、前記紋織物生地を水洗い処理し、湯のし処理をした後、前記紋織物生地の裏面側から浸透性を有する色糊で前記紋織物生地の表面側地組織部分まで染色する第１の染色工程と、前記第１の染色工程で染色された紋織物生地を蒸し水洗処理、のりつけ処理および仕上げのし処理してなることを特徴とする紋織物の染色方法。
【請求項２】
生地表面側に、地組織部分と、該地組織部分から突出する紋意匠織組織部分とを有する紋織物生地を準備する工程と、前記紋織物生地を水洗い処理し、湯のし処理をした後、前記紋織物生地の裏面側から浸透性を有する色糊で前記紋織物生地の表面側地組織部分まで染色する第１の染色工程と、前記第１の染色工程で染色された紋織物生地を蒸し水洗処理、湯のし処理をした後、前記紋織物生地の表面側から異なる色相の色糊により複数回の捺染する第２の染色工程と、第２の染色工程により染色された紋織物生地を蒸し水洗処理、のりつけ処理および仕上げのし処理してなることを特徴とする紋織物の染色方法。
【請求項３】
前記紋織物生地が、前記地組織部分に対して、綴れ織組織、平３・１組織、絵抜き組織、意匠地組織などの組織の少なくとも一つの組織を含むものからなることを特徴とする請求項１または請求項２に記載の紋織物の染色方法。
【請求項４】
前記第１の染色工程に用いられる色糊が、水に、染料、アルギン酸ソーダー、浸透剤、均染剤、消泡剤、染料溶解剤を混合したものからなることを特徴とする請求項１〜請求項３いずれかに記載の紋織物の染色方法。
【請求項５】
前記第２の染色工程に用いられる色糊が、水に、染料、アルギン酸ソーダー、均染剤、消泡剤、染料溶解剤を混合したものからなることを特徴とする請求項２に記載の紋織物の染色方法。
【請求項６】
前記第２の染色工程では、紋織物生地の表面側より、ぼかし柄ローラでグラデーションの強いぼかし染を異なる色相で複数回行い、異なる色相の混色した染色部分と、混色していない染色部分とを形成してなることを特徴とする請求項２に記載の紋織物の染色方法。
【発明の詳細な説明】
【技術分野】
【０００１】
この発明は、柄の立体をだす紋意匠織と地組織との変化で柄だしする紋織物に対する染色方法に関するものであり、特に、従来にない極めて斬新な色合い並びに風合いに染色し得る紋織物に対する染色方法に関するものである。
【背景技術】
【０００２】
周知のように、従来より上記するような組織変化のある紋織物生地に対する染色方法として、蝋あるいはダックによる頭ずり加工方法が知られている。しかしながら、この頭ずり加工方法は、生地耳部分と生地中央部分との色の違い、エンディング（反物の端と端との色が合わない）、さらには、紋意匠織（生地表面側の頭）部分の色を単一色でしか表現できない等々の問題点があった。
【０００３】
【特許文献１】特になし
【発明の開示】
【発明が解決しようとする課題】
【０００４】
そこで、この発明は、上記する従来の技術にみられる問題点を解消しようとするものであり、紋織物生地における反物幅方向の色違いを防止し、反物長さ方向の両端側における色違いを防止し、さらには、紋意匠織部分の多色表現を可能とする極めて斬新な紋織物の染色方法を提供するものである。
【課題を解決するための手段】
【０００５】
この発明は、上記する目的を達成するにあたって、請求項１に記載の発明は、生地表面側に、地組織部分と、該地組織部分から突出する紋意匠織組織部分とを有する紋織物生地を準備する工程と、前記紋織物生地を水洗い処理し、湯のし処理をした後、前記紋織物生地の裏面側から浸透性を有する色糊で前記紋織物生地の表面側地組織部分まで染色する第１の染色工程と、前記第１の染色工程で染色された紋織物生地を蒸し水洗処理、のりつけ処理および仕上げのし処理してなることを特徴とする紋織物の染色方法を構成するものである。
【０００６】
さらに、この発明において請求項２に記載の発明は、生地表面側に、地組織部分と、該地組織部分から突出する紋意匠織組織部分とを有する紋織物生地を準備する工程と、前記紋織物生地を水洗い処理し、湯のし処理をした後、前記紋織物生地の裏面側から浸透性を有する色糊で前記紋織物生地の表面側地組織部分まで染色する第１の染色工程と、前記第１の染色工程で染色された紋織物生地を蒸し水洗処理、湯のし処理をした後、前記紋織物生地の表面側から異なる色相の色糊により複数回の捺染する第２の染色工程と、前記第２の染色工程により染色された紋織物生地を蒸し水洗処理、のりつけ処理および仕上げのし処理してなることを特徴とする紋織物の染色方法を構成するものである。
【０００７】
さらに、この発明において請求項３に記載の発明は、請求項１または請求項２に記載の紋織物の染色方法であって、前記紋織物生地が、前記地組織部分に対して、綴れ織組織、平３・１組織、絵抜き組織、意匠地組織などの組織の少なくとも一つの組織を含むものからなることを特徴とするものである。
【０００８】
さらに、この発明において請求項４に記載の発明は、請求項１〜請求項３のいずれかに記載の紋織物の染色方法であって、前記第１の染色工程に用いられる色糊が、水に、染料、アルギン酸ソーダー、浸透剤、均染剤、消泡剤、染料溶解剤を混合したものからなることを特徴とするものである。
【０００９】
さらに、この発明において請求項５に記載の発明は、請求項２に記載の紋織物の染色方法であって、前記第２の染色工程に用いられる色糊が、水に、染料、アルギン酸ソーダー、均染剤、消泡剤、染料溶解剤を混合したものからなることを特徴とするものである。
【００１０】
さらに、この発明において請求項６に記載の発明は、請求項２に記載の紋織物の染色方法であって、前記第２の染色工程では、前記紋織物生地の表面側より、ぼかし柄ローラでグラデーションの強いぼかし染を異なる色相で複数回行い、異なる色相の混色した染色部分と、混色していない染色部分とを形成してなることを特徴とするものである。
【発明の効果】
【００１１】
以上の構成において、この発明になる紋織物の染色方法によれば、生地表面側に、地組織部分と、該地組織部分から突出する紋意匠織組織部分とを有する紋織物生地を準備する工程と、前記紋織物生地を水洗い処理し、湯のし処理をした後、前記紋織物生地の裏面側から浸透性を有する色糊で前記紋織物生地の表面側地組織部分まで染色する第１の染色工程と、前記第１の染色工程で染色された紋織物生地を蒸し水洗処理、湯のし処理をした後、紋織物生地の表面側から異なる色相の色糊により複数回の捺染する第２の染色工程と、前記第２の染色工程により染色された紋織物生地を蒸し水洗処理、のりつけ処理および仕上げのし処理する工程を含むものからなっているので、紋意匠織部分の多色表現を可能とする極めて斬新な紋織物の染色方法を提供し得る点において極めて有効に作用するものといえる。
【発明を実施するための最良の形態】
【００１２】
以下、この発明になる紋織物の染色方法について、図面に示す具体的な実施例にもとづいて詳細に説明する。図１は、この発明になる紋織物の染色方法についての第１の構成例に基づく染色方法の工程手順を示す概略的な説明図であり、図２は、この発明になる紋織物の染色方法についての第２の構成例に基づく染色方法の工程手順を示す概略的な説明図である。
【００１３】
一方、図３は、この発明になる紋織物の染色方法における第２の染色工程の詳細を説明するための概略的な側面図であり、図４は、各種の紋意匠織組織部分の詳細を示す組織図である。
【００１４】
まず、この発明になる紋織物生地の染色方法における工程手順について、図１に示す第１の構成例、並びに、図２に示す第２の構成例に基づいて詳細に説明する。上記する第１および第２の構成例は、その第１の染色工程までは互いに同一工程のものである。
【００１５】
この発明では、まず、所望の紋織物生地１が準備される。この紋織物生地１は、地組織部分２と、この地組織部分２から生地表面１ａ側に突出する紋意匠織組織部分３を有するものからなっている。一例になる紋織物生地１は、図４各図に示すような各種紋意匠織組織部分２を備えたものからなっている。
【００１６】
図４において図４Ａは、つづれ織組織２１を示すものであって、図４Ｂは、平３・１織組織２２を示すものであって、図４Ｃは、絵抜き組織２３を示すものであって、図４Ｄは、意匠地組織２４を示すものであって、図４Ｅは、朱子織組織２５を示すものである。一例によれば、これらの各種の組織により、所望の柄を織り成すように混在する紋織物生地１が準備される。
【００１７】
図４各図に示す各種の織組織を構成するにあたって、より一層、柄ならびに生地の変化を作り出すために、緯糸（地抜き）には、強撚糸を特別に作り、柄が浮き出すようにし、緯糸（絵抜き）には、弱い撚糸の糸を用い、絵抜き、つづれ織組織を使い、染め上げてからの柄変化を作り出す。また、朱子織組織で光沢を出し、平３・１織組織で柄を薄く出してある。このような組織でなる紋織物生地は、染め上がりに変化性を有し、縮みにくく、シワになりにくく、生糸の光沢、しなやかさを持ち合わせているものである。
【００１８】
この発明では、上記するような構成でなる紋織物生地１を準備しておき、当該紋織物生地１に対して、水洗い処理４および湯のし処理５が施される。 この処理は、普通一般的なものであり、準備された紋織物生地１に高温の蒸気をあてて、反物を幅方向並びに長さ方向に整え、シワや縮みを整える。
【００１９】
この水洗い処理４および湯のし処理５の後、第１の染色工程６がなされる。この発明において、この第１の染色工程６は、図１および図２に示すように、前記紋織物生地１の裏面１ｂ側から、下記に示す成分からなる特殊な色糊により、生地裏全面に、梨地ローラーで捺染される。この第１の染色工程６で用いられる色糊は、従来の色糊と異なり、浸透力が強く、生地の地組織部分の表面まで浸透させる。この発明では、前記色糊での染色では、生地表面側における紋意匠織組織部分３までは染色されない。
【００２０】
この第１の染色工程６で用いられる色糊の一例を示すと次ぎの通りである。
染料        ０．０１〜６％
糊剤        ３％          アルギル酸ソーダー
浸透剤      １〜５％      シードＥＸＰ（山宗実業株式会社）
均染剤      ３％          インプルバー８００（横浜ポリマー株式会社）
消泡剤      ３％          ライトシリコンＳ−２６（共栄社化学株式会社）
染料溶解剤  ０．１〜５％  グリソルブＺＯ（明成化学工業株式会社）
これに、水を加えて、１００％
【００２１】
図１に示す第１の構成例では、上記する第１の染色工程６の後、蒸し水洗処理１０、のり付け処理１１、仕上げのし処理１２を経て、この発明における第１の構成例になる染色された紋織物を供する。
【００２２】
一方、これに対して、この発明における第２の構成例になる紋織物の染色方法では、上記する第１の染色工程６の後、蒸し水洗処理７および湯のし処理８を経て、図２に示すように、第２の染色工程９がなされる。この発明において、この第２の染色工程９は、図２に示すように、前記紋織物生地１の表面１ａ側から、上記に示す成分から浸透剤を除いた成分でなる色糊により染色する。
【００２３】
この発明において、前記第２の染色工程９は、前記紋織物生地１の表面１ａ側から、ぼかし柄ローラーにより異なる色相の染料によって複数回捺染する。このぼかし捺染は、例えば、図３に示すように、グラデーションの強いぼかし染を行うべく、混色した部分と、混色しない部分を形成する。例えば、図３に示すように、赤色Ｒと青色Ｂの２色でぼかしを行った場合、赤色Ｒ……赤紫色ＲＰ……紫色Ｐ……青紫色ＢＰ……青色Ｂといった無段階の色々な色を表現できる。
【００２４】
図２に示す第２の構成例では、上記する第２の染色工程９の後、蒸し水洗処理１０、のり付け処理１１、仕上げのし処理１２を経て、この発明における第２の構成例になる染色された紋織物を供する。
【００２５】
この発明になる紋織物の染色方法によれば、予め準備される紋織物生地における地組織部分並びに紋意匠織組織部分の多様的な組み合わせ構成、第１の染色工程による染色構成、さらには、第２の染色工程における染色構成の組み合わせにより極めて変化性に富んだ、従来にない全く特異で、極めて斬新な織物を提供することができる。
【図面の簡単な説明】
【００２６】
【図１】図１は、この発明になる紋織物の染色方法についての第１の構成例に基づく染色方法の工程手順を示す概略的な説明図である。
【図２】図２は、この発明になる紋織物の染色方法についての第２の構成例に基づく染色方法の工程手順を示す概略的な説明図である。
【図３】図３は、この発明になる紋織物の染色方法における第２の染色工程の詳細を説明するための概略的な側面図である。
【図４】図４は、各種の紋意匠織組織部分の詳細を示す組織図である。
【符号の説明】
【００２７】
１  紋織物生地
１ａ  生地表面
１ｂ  生地裏面
２  地組織部分
３  紋意匠織組織部分
４  水洗い処理
５  湯のし処理
６  第１の染色工程
７  蒸し水洗処理
８  湯のし処理
９  第２の染色工程
１０  蒸し水洗処理
１１  のり付け処理
１２  仕上げのし処理
２１  つづれ織組織
２２  平３・１織組織
２３  絵抜き織組織
２４  意匠地組織
２５  朱子織組織
Ｒ  赤色
Ｂ  青色
ＲＰ  赤紫色
Ｐ  紫色
ＢＰ  青紫色
【図１】
2007277773.tif 000003
【図２】
2007277773.tif 000004
【図３】
2007277773.tif 000005
【図４】
2007277773.tif 000006